(57)【要約】【課題】  金属製薄肉ドラムを輪切り状に切断する際にドラムを保持しておく保持装置において、ドラムの着脱が容易で時間がかからないようにする。【解決手段】  回転駆動される支軸Ｓを挿通せしめることのできる筒部材を軸方向に向けてテーパ状に切断して二分割した形態の第１テーパ部材３ａと第２テーパ部材３ｂを設け、この第１テーパ部材３ａと第２テーパ部材３ｂとを軸方向に相対移動可能にして各テーパ面５ａ、５ｂが当接または離反自在にするとともに、各テーパ面５ａ、５ｂを当接させて組み合わせると円筒状になるようにする。また、第１、第２テーパ部材３ａ、３ｂの基端部には、相手側の先細り先端部を嵌入せしめることのできる第１、第２リング状部材４ａ、４ｂを設ける。【選択図】      図２
2005052925.tif 000002
【特許請求の範囲】
【請求項１】
金属製の薄板を円筒状に成形したドラムを輪切り状に切断して金属リングを形成する際、前記ドラムの内周面に圧接して該ドラムを保持する保持装置であって、回転駆動される支軸を挿通せしめることのできる筒部材を軸方向に向けてテーパ状に切断して二分割した形態の第１テーパ部材と第２テーパ部材を設け、この第１テーパ部材と第２テーパ部材とを軸方向に相対移動可能にして各テーパ面が当接または離反自在にするとともに、各テーパ面を当接させて組み合わせると円筒状になるようにし、また、第１、第２テーパ部材の基端部には、相手側の先細り先端部が係合可能な第１、第２リング状部材が設けられることを特徴とする金属製薄板ドラムの保持装置。
【請求項２】
前記リング状部材は、前記第１、第２テーパ部材を組み合わせる際に、相手側の先細り先端部が係合すると、前記ドラムを自動的にクランプするクランプ機構を備えたことを特徴とする請求項１に記載の金属製薄板ドラムの保持装置。
【発明の詳細な説明】
【技術分野】
【０００１】
本発明は、金属製の薄板を円筒状に成形したドラムを輪切り状に切断する際、ドラムを保持しておくための保持装置に関する。
【背景技術】
【０００２】
従来、薄肉金属ドラムを輪切り状に切断する際、ドラムを保持しておく装置として、例えば円筒体が円周方向に三分割されるセグメントの中心部の両端にテーパ穴を設け、一方側のテーパ穴に主軸のテーパ部を嵌合させるとともに、他方側のテーパ穴に押圧部材のテーパ部を嵌合させ、平素は押圧部材を後退させてテーパ穴から離脱させることでセグメントを収縮させておき、セグメントの周囲にドラムを装着した後、押圧部材を主軸側に前進させてセグメントのテーパ穴を両方から押圧し、セグメントを拡張させてドラム内周面を保持するような装置が知られている。（例えば、特許文献１、特許文献２参照。）
そして、切断したワークを取り出すときは、押圧部材を後退させてセグメントを収縮させ、ワーク内周面の拘束を解いて取り出すようにしている。
【特許文献１】実開昭６２-７２０１７号公報
【特許文献２】実開平１-８７８２２号公報
【発明の開示】
【発明が解決しようとする課題】
【０００３】
ところが、上記のような方法では、押圧部材で押圧したときの拡張しろや、押圧部材を離脱させたときの収縮しろが小さいため、薄肉の金属製ドラムを把持したり着脱操作するときに、セグメントへの装着や取外しが困難で時間がかかり、作業効率が良くないという問題がある。
【０００４】
そこで本発明は、金属製薄肉ドラムを輪切り状に切断する際にドラムを保持しておく保持装置において、ドラムの着脱が容易で時間がかからないようにすることを目的とする。
【課題を解決するための手段】
【０００５】
上記目的を達成するため本発明は、金属製の薄板を円筒状に成形したドラムを輪切り状に切断して金属リングを形成する際、前記ドラムの内周面に圧接して該ドラムを保持する保持装置において、回転駆動される支軸を挿通せしめることのできる筒部材を軸方向に向けてテーパ状に切断して二分割した形態の第１テーパ部材と第２テーパ部材を設け、この第１テーパ部材と第２テーパ部材とを軸方向に相対移動可能にして各テーパ面が当接または離反自在にするとともに、各テーパ面を当接させて組み合わせると円筒状になるようにし、また、第１、第２テーパ部材の基端部には、相手側の先細り先端部が係合可能な第１、第２リング状部材を設けるようにした。
【０００６】
筒部材を軸方向に向けてテーパ状に切断して二分割した形態の第１テーパ部材と第２テーパ部材を設け、この第１テーパ部材と第２テーパ部材とを軸方向に相対移動可能にし、それぞれのテーパ面を重ねて組み合わせた状態で、組合せ体の外径がドラムの内径に一致するようにしておけば、第１テーパ部材と第２テーパ部材を離反方向に移動させることにより、組合せ体の径が収縮するとともに、この収縮しろを従来に較べて大きくできるため、ドラムの着脱作業が楽に行えるようになる。
【０００７】
また本発明では、前記リング状部材には、第１、第２テーパ部材を組み合わせる際に、相手側の先細り先端部が係合すると、前記ドラムを自動的にクランプするクランプ機構を設けるようにした。
【０００８】
このようにリング状部材にクランプ機構を設ければ、第１、第２テーパ部材を組み合わせるだけでドラムのクランプが可能となり、作業効率が向上する。尚、このようなクランプ機構は、ドラムを補助的にクランプする補助クランプ機構としても良い。
【０００９】
また、このようなクランプ機構の一例としては、例えば相手側の先細り先端部に係合すると、鋼球が半径方向の外側に突出し、この鋼球の突出により、弾性部材が弾性変形して、てこ式にドラムの周縁部を押さえつけるような機構が採用できる。
【発明の効果】
【００１０】
筒部材を軸方向に向けてテーパ状に切断して二分割した形態の第１テーパ部材と第２テーパ部材を設け、この第１テーパ部材と第２テーパ部材とを軸方向に相対移動可能にすれば、保持装置の拡大、収縮しろが大きくなってドラムの着脱作業の容易化や、作業時間の短縮が図られる。
【００１１】
また、リング状部材にクランプ機構を設ければ、第１、第２テーパ部材を組み合わせるだけでドラムのクランプが可能となり、作業効率が一層向上する。
【発明を実施するための最良の形態】
【００１２】
本発明の実施の形態について添付した図面に基づき説明する。
【００１３】
ここで図１はドラムを切断する装置全体の説明図、図２は本保持装置の斜視図、図３乃至図５は保持装置の作用図、図６はクランプ機構の説明図である。
【００１４】
本発明に係る金属製薄板ドラムの保持装置は、例えば無段変速機に採用される動力伝達用のベルトを作製するため、円筒状の薄板ドラムを所定幅で輪切り状に切断する際、ドラムを保持しておく装置の改良として構成され、ドラムの着脱作業が容易で、作業時間の短縮を図ることができるようにされている。
【００１５】
すなわち、図１に示すようなドラム切断装置において、本保持装置１は、旋盤主軸によって回転駆動される支軸Ｓに装着可能にされ、ドラムＷの内周面を保持する本装置１が支軸Ｓに挿入されると、ナットＮによって支軸Ｓに固定され、その後、支軸Ｓを回転させながら切断装置Ｐの円盤状切刃ｋを当接させて輪切り状に切断するようにしている。
【００１６】
本保持装置１は、図２、図３に示すように、左右ほぼ対称形の第１、第２組付け体２ａ、２ｂを備えており、この組付け体２ａ、２ｂは、合成樹脂製等の筒部材を軸方向に向けてテーパ状に切断した形態の第１、第２テーパ部材３ａ、３ｂと、合成樹脂製等のリング状の第１、第２リング部材４ａ、４ｂとが結合されたものである。そして、第１テーパ部材３ａには、第１テーパ面５ａが形成されており、第１２ーパ部材３ｂには、第２テーパ面５ｂが形成されている。
【００１７】
以下、説明を簡単にするため、第１組付け体２ａを代表例にして説明する。
【００１８】
前記第１テーパ部材３ａは、基端側（大径側）の外周面と、先細り先端側（小径側）の外周面は、先細り状のテーパ部ｔとされ、また、外周面には、切断装置Ｐの切刃ｋに対応する箇所に、円周溝ｍが等間隔置きに設けられている。そして、この構成は、第２テーパ部材３ｂの場合も同様である。
【００１９】
前記第１リング部材４ａは、第１テーパ部材３ａの基端側（大径側）の内周部に円周方向３箇所の固定ネジ６で固定されており、その内周部には、各テーパ部材３ａ、３ｂのテーパ部ｔに対応してテーパ受け部ｑが形成されている。
【００２０】
また、第１リング部材４ａの外周部には、把持溝ｈが形成されており、両方の組付け体２ａ、２ｂを組合せ状態から解放する際、この把持溝ｈを把持して引き抜くことが出来るようにしている。
【００２１】
そして、これらの構成は、第２リング部材４ｂの場合も同様である。
【００２２】
また、第１リング部材４ａの所定箇所には、ドラムＷをクランプするための補助クランプ機構として、てこ式クランプ機構７が設けられている。
【００２３】
このてこ式クランプ機構７は、図６（ａ）に示すように、第１リング部材４ａの内部に埋め込まれ且つ一部がテーパ受け部ｑから内部に突出する鋼球８と、この鋼球８の外側に張り出す揺動片９と、この揺動片９に半径方向にねじ込まれる調整ネジ１０を備えており、調整ネジ１０の下端部は、前記鋼球８に僅かに当接するか、または近接するような位置に調整されている。
【００２４】
そして、第１組付け体２ａと第２組付け体２ｂを組み合わせると、図６（ｂ）に示すように、第１リング部材４ｂのテーパ受け部ｑに、第２テーパ部材３ｂのテーパ部ｔが入り込んで鋼球８を外側に押し込んで調整ネジ１０を外側に押圧し、揺動片９の基端部を弾性変形させることで揺動片９の先端部を下方に揺動させ、ドラムＷの一部を押圧クランプできるようにしている。
【００２５】
以上のような保持装置１の作用等について、図３乃至図５に基づき説明する。
【００２６】
図３（ａ）に示すように、第１組付け体２ａと第２組付け体２ｂをお互いに軸方向に沿って離反方向に移動させ、両者の中間部にドラムＷを位置させる。そして、各組付け体２ａ、２ｂを前進させることにより、ドラムＷ内に各組付け体２ａ、２ｂの先細り先端部を挿入するが、この際、図３（ｂ）に示すように、ドラムＷが多少扁平状に変形している場合でも、各組付け体２ａ、２ｂの先細り先端部を楽にドラムＷ内に挿入することができる。
【００２７】
そして、各組付け体２ａ、２ｂを前進させてお互いに接近させることにより、図４に示すように、第１、第２テーパ部材３ａ、３ｂの第１、第２テーパ面５ａ、５ｂが当接するようになり、更に前進させると、図５に示すように、それぞれのテーパ部材３ａ、３ｂの先細り先端側のテーパ部ｔが、相手側のリング部材４ｂ、４ａのテーパ受け部ｑに入り込んで組合わせ状態となり、各組付け体２ａ、２ｂの外面がドラムＷの内周面を保持するようになる。
【００２８】
この際、第１リング部材４ａのクランプ機構７の鋼球８は、第２テーパ部材３ｂのテーパ部ｔに押されて上方に移動し、これに伴って調整ネジ１０も上方に押されることにより、揺動片９の先端が下方に揺動し、ドラムＷの一部を押さえつけて補助クランプの機能を果たす。
【００２９】
そして、このようにドラムＷを保持する保持装置１は、図１に示すように、旋盤主軸の支軸Ｓに装着され、ナットＮで支軸Ｓに固定された後、主軸の回転駆動によって保持装置１とドラムＷは軸周りに回転する。そして、切断装置Ｐが接近して切刃ｋにより輪切り状に切断される。
【００３０】
切断加工が終了すると、各組付け体２ａ、２ｂの把持溝ｈに不図示の取外し機構の把持部を係合させて第２組付け体２ｂを離脱方向に引っ張れば、両者の組合わせが解除されるとともに、組合せ体の径が収縮するため、ワークが楽に取り出せる。
【００３１】
以上のような操作により、ドラムＷの脱着作業を楽に行うことができる。
【００３２】
尚、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００３３】
金属製薄肉ドラムを輪切り状に切断する際、ドラムの内周面を保持しておくため、外径を拡縮自在にした保持装置として、拡張しろ、収縮しろを大きくしたため、ドラムの脱着作業が楽に行われるようになり、作業効率を高めることができる。
【図面の簡単な説明】
【００３４】
【図１】ドラムを切断する装置全体の説明図
【図２】本保持装置の斜視図
【図３】各組付け体が離反方向に移動した状態図で（ａ）が縦断面図、（ｂ）が正面図
【図４】各組付け体が組合わせ状態に向けて移行する途中の状態図で（ａ）が縦断面図、（ｂ）が正面図
【図５】各組付け体が組合わせ状態になった状態図で（ａ）が縦断面図、（ｂ）が正面図
【図６】クランプ機構の説明図
【符号の説明】
【００３５】
１…保持装置、２ａ…第１組付け体、２ｂ…第２組付け体、３ａ…第１テーパ部材、３ｂ…第２テーパ部材、４ａ…第１リング部材、４ｂ…第２リング部材、５ａ…第１テーパ面、５ｂ…第２テーパ面、７…てこ式クランプ機構。
【図１】
2005052925.tif 000003
【図２】
2005052925.tif 000004
【図３】
2005052925.tif 000005
【図４】
2005052925.tif 000006
【図５】
2005052925.tif 000007
【図６】
2005052925.tif 000008